【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
呼吸インタフェースのためのサポートクッションにおいて、
前記呼吸インタフェースは、周囲輪郭を持つフェースプレートを有する、
前記サポートクッションは、クッション本体及び少なくとも２つのインサートを有する、
前記クッション本体は、前記呼吸インタフェースの周囲輪郭に概ね類似する断面形状を持つ、
前記クッション本体は、通路を規定する、
前記クッション本体は、遠位部材、側壁及び近位部材を有する、
前記クッション本体の遠位部材及び前記クッション本体の近位部材は、前記クッション本体の側壁により離間して維持される、
前記クッション本体の側壁は、内側及び外側を有する、
前記クッション本体の側壁は、少なくとも１つの補強材の通路を持ち、前記少なくとも１つの補強材の通路は、軸方向の補強材の通路又は半径方向の補強材の通路の一方である、
前記インサートの少なくとも１つは、前記少なくとも１つの補強材の通路に一致するように形成される、
前記クッション本体は、クッション本体の硬さを持つ第１の材料から作られる、
前記少なくとも２つのインサートは、第１の硬さを持つ第１の材料又は前記第１の硬さとは異なる第２の硬さを持つ第２の材料の何れか一方から作られる、
１つのインサートは、複数の半径方向の開口の各々に挿入される、並びに
前記第１の材料又は前記第２の材料とする前記インサートの選択は、前記クッションの局所的な硬さを選択的に決定する、
サポートクッション。
【請求項２】
前記少なくとも１つの補強材の通路は、円形、楕円形、六角形、ひし形及び波形を含む集合から選択される一般的な断面形状を持つ、請求項１に記載のサポートクッション。
【請求項３】
各々の少なくとも１つの補強材の通路は、他の何れかの補強材の通路と概ね同じ形状を持っている請求項２に記載のサポートクッション。
【請求項４】
前記少なくとも２つのインサートの一方は、第１のしるしを持つ第１の材料から作られ、及び前記少なくとも２つのインサートの他方は、第２のしるしを持つ第２の材料から作られる、請求項１に記載のサポートクッション。
【請求項５】
少なくとも１つの補強材の通路は貫通孔である、請求項１に記載のサポートクッション。
【請求項６】
前記クッション本体は、当該クッション本体に結合されている封止フラップを含んでいる、請求項１に記載のサポートクッション。
【請求項７】
前記クッション本体は、インサート保持装置を含んでいる、請求項１に記載のサポートクッション。
【請求項８】
前記クッション本体は、当該クッション本体に結合されている封止フラップを含む、及び前記封止フラップは、前記クッション本体の側壁の内側又は前記クッション本体の側壁の外側の一方にわたり広がると共に、インサート保持バンドである少なくとも１つの保持バンドを含んでいる、請求項７に記載のサポートクッション。
【請求項９】
前記封止フラップは、内側の保持バンド及び外側の保持バンドを有する少なくとも１つの保持バンドを含み、前記内側の保持バンドは、前記クッション本体の側壁の内側にわたり広がり、前記外側の保持バンドは、前記クッション本体の側壁の外側にわたり広がっている、請求項８に記載のサポートクッション。
【請求項１０】
前記インサート保持装置は、前記クッション本体の側壁の外側にわたり広がっている保持バンドである、請求項７に記載のサポートクッション。
【請求項１１】
前記少なくとも１つの補強材の通路は、先細りしている、請求項７に記載のサポートクッション。
【請求項１２】
各々の先細りする少なくとも１つの補強材の通路は、前記クッション本体の内側に隣接するより小さな断面領域を有する、請求項１１に記載のサポートクッション。
【請求項１３】
前記インサート保持装置は、前記少なくとも１つの補強材の通路に配されるインサート留め具である、請求項７に記載のサポートクッション。
【請求項１４】
前記インサート保持装置は、前記クッション本体の内側にわたり広がっている膜である、請求項７に記載のサポートクッション。
【請求項１５】
前記少なくとも１つの補強材の通路は、前記クッション本体の側壁の周囲に実質的に広がっている複数の通路を含んでいる、請求項１に記載のサポートクッション。
【請求項１６】
前記少なくとも１つの補強材の通路は、概ね軸方向に広がっている、請求項１に記載のサポートクッション。
【請求項１７】
前記少なくとも１つの補強材の通路は、概ね半径方向に広がっている、請求項１に記載のサポートクッション。
【請求項１８】
呼吸インタフェース装置のマスクのためのサポートクッションを使用する方法において、
前記マスクは、周囲輪郭を持つフェースプレートを有し、
前記サポートクッションは、クッション本体及び少なくとも２つのインサートを有し、
前記クッション本体は、前記マスクの周囲輪郭に概ね類似する断面形状を持ち、
前記クッション本体は、通路を規定し、
前記クッション本体は、遠位部材、側壁及び近位部材を有し、
前記クッション本体の遠位部材及び前記クッション本体の近位部材は、前記クッション本体の側壁により離間して維持され、
前記クッション本体の側壁は、内側及び外側を有し、
前記クッション本体の側壁は、少なくとも１つの補強材の通路を持ち、
前記少なくとも２つのインサートは、前記少なくとも１つの補強材の通路に一致するように形成され、
前記クッション本体は、クッション本体の硬さを持つ第１の材料から作られ、
前記少なくとも２つのインサートは、前記第１の材料又は前記第１の硬さとは異なる硬さである第２の硬さを持つ第２の材料の何れか一方から作られ、
１つのインサートは、複数の半径方向の開口の各々に挿入され、
前記第１の材料又は前記第２の材料とする前記インサートの選択は、前記クッションの局所的な硬さを選択的に決定し、
前記方法は、
各々の少なくとも１つの補強材の通路に１つのインサートを選択的に挿入するステップ、及び
ユーザの顔の上に前記マスクを位置決めるステップ、
を有する方法。
【請求項１９】
各々の少なくとも１つの補強材の通路に１つのインサートを挿入する前記ステップは、
前記マスクがユーザの顔と前記クッションとの間に概ね連続的な封止を与えているかを判断するステップ、
前記概ね連続的な封止における隙間の位置を決定するステップ、
前記隙間の位置に隣接する少なくとも１つの補強材の通路に異なる材料からなるインサートを置くステップ、及び
前記隙間が減少し、それにより前記ユーザの顔と前記クッションとの間により完璧な封止を与えているかを判断するステップ
を有する、請求項１８に記載の方法。
【請求項２０】
前記少なくとも１つの補強材の通路は、複数の補強材の通路を含み、
各々の少なくとも１つの補強材の通路に１つのインサートを選択的に挿入する前記ステップは、
各々の補強材の通路に第１の材料からなるインサートを置くステップ、
前記マスクがユーザの顔と前記クッションとの間に概ね連続的な封止を与えているかを判断するステップ、
前記概ね連続的な封止における隙間の位置を決定するステップ、
前記隙間の位置に隣接する少なくとも１つの補強材の通路に第２の材料からなるインサートを置くステップ、
前記隙間が減少し、それにより前記ユーザの顔と前記クッションとの間により完璧な封止を与えているかを判断するステップ
を有する、請求項１８に記載の方法。